(57)【要約】  ノイズ検出回路（６）が、外来ノイズ（２）の検出信号を伝送する信号線路（３１）上に接続されている開閉スイッチ（３５）を備えており、開閉スイッチ（３５）が、制御回路（１４）によって半導体スイッチ（１１）における導通状態の切り換えが行われている期間中、オフ状態になり、半導体スイッチ（１１）における導通状態の切り換えが行われていない期間中、オン状態になるように構成する。これにより、不定期に発生する外来ノイズ（２）を検出することができる。
2018042513.tif 000002
【特許請求の範囲】
【請求項１】
直流入力電圧が印加される入力端子と電源端子との間に接続されているスイッチング素子と、
前記電源端子に印加されている電源電圧と閾値電圧を比較し、前記電源電圧と前記閾値電圧の比較結果にしたがって前記スイッチング素子の導通状態を切り換える制御回路と、
外来ノイズを検出するノイズ検出センサと、
前記電源端子に印加されている電源電圧が供給されている状態で、前記ノイズ検出センサから出力された外来ノイズの検出信号を増幅し、増幅後の検出信号を出力するノイズ検出回路とを備え、
前記ノイズ検出回路は、前記外来ノイズの検出信号を伝送する信号線路上に接続されている開閉スイッチを備えており、
前記開閉スイッチは、前記制御回路によって前記スイッチング素子における導通状態の切り換えが行われている期間中、開状態になり、前記スイッチング素子における導通状態の切り換えが行われていない期間中、閉状態になることを特徴とするノイズ検出装置。
【請求項２】
前記電源電圧を平滑化する平滑化回路が前記スイッチング素子と前記電源端子との間に設けられていることを特徴とする請求項１記載のノイズ検出装置。
【請求項３】
前記制御回路は、
前記平滑化回路により平滑化された電源電圧と前記閾値電圧を比較するコンパレータと、
前記コンパレータから出力された比較結果が、前記電源電圧が前記閾値電圧未満である旨を示していれば、導通状態を非導通の状態から導通している状態に切り換えた後、非導通の状態に戻す制御信号を生成し、前記電源電圧が前記閾値電圧以上である旨を示していれば、非導通の状態を維持する制御信号を生成する制御信号生成部とを備え、
前記スイッチング素子は、前記制御信号生成部により生成された制御信号にしたがって導通状態が制御され、
前記開閉スイッチは、前記制御信号生成部により生成された制御信号が、導通状態を非導通の状態から導通している状態に切り換えた後、非導通の状態に戻す制御信号であれば、開状態になり、前記制御信号生成部により生成された制御信号が、非導通の状態を維持する制御信号であれば、閉状態になることを特徴とする請求項２記載のノイズ検出装置。
【発明の詳細な説明】
【技術分野】
【０００１】
この発明は、外来ノイズを検出するノイズ検出装置に関するものである。
【背景技術】
【０００２】
例えば、パソコンや携帯電話などの回路基板は、ノイズを含む信号が回路に入力されると、誤動作の発生を招く可能性があるため、ノイズを含む信号が回路に入力されないようにする対策が必要である。
以下の特許文献１には、周期的に発生するノイズに同期して、信号線路上のスイッチをオフすることにより、ノイズを含む信号が回路に入力されないようにしているノイズ除去装置が開示されている。
【先行技術文献】
【特許文献】
【０００３】
【特許文献１】特開昭６０−３９３６５号公報
【発明の概要】
【発明が解決しようとする課題】
【０００４】
従来のノイズ除去装置は以上のように構成されているので、周期的に発生するノイズを含む信号が回路に入力されないようにすることができる。しかし、静電気放電（ＥＳＤ：Ｅｌｅｃｔｒｏ−Ｓｔａｔｉｃ  Ｄｉｓｃｈａｒｇｅ）など、不定期に発生する外来ノイズについては検出することができないという課題があった。【０００５】
この発明は上記のような課題を解決するためになされたもので、不定期に発生する外来ノイズを検出することができるノイズ検出装置を得ることを目的とする。
【課題を解決するための手段】
【０００６】
この発明に係るノイズ検出装置は、直流入力電圧が印加される入力端子と電源端子との間に接続されているスイッチング素子と、電源端子に印加されている電源電圧と閾値電圧を比較し、その電源電圧と閾値電圧の比較結果にしたがってスイッチング素子の導通状態を切り換える制御回路と、外来ノイズを検出するノイズ検出センサと、電源端子に印加されている電源電圧が供給されている状態で、ノイズ検出センサから出力された外来ノイズの検出信号を増幅し、増幅後の検出信号を出力するノイズ検出回路とを備え、ノイズ検出回路が、外来ノイズの検出信号を伝送する信号線路上に接続されている開閉スイッチを備えており、開閉スイッチが、制御回路によってスイッチング素子における導通状態の切り換えが行われている期間中、開状態になり、スイッチング素子における導通状態の切り換えが行われていない期間中、閉状態になるようにしたものである。
【発明の効果】
【０００７】
この発明によれば、ノイズ検出回路が、外来ノイズの検出信号を伝送する信号線路上に接続されている開閉スイッチを備えており、開閉スイッチが、制御回路によってスイッチング素子における導通状態の切り換えが行われている期間中、開状態になり、スイッチング素子における導通状態の切り換えが行われていない期間中、閉状態になるように構成したので、不定期に発生する外来ノイズを検出することができる効果がある。
【図面の簡単な説明】
【０００８】
【図１】この発明の実施の形態１によるノイズ検出装置を示す構成図である。
【図２】制御信号生成部１６により生成された制御信号、開閉スイッチ３５の入力側の信号波形及び信号検波回路３６の出力側の信号波形を示す説明図である。
【図３】この発明の実施の形態１による他のノイズ検出装置を示す構成図である。
【発明を実施するための形態】
【０００９】
以下、この発明をより詳細に説明するために、この発明を実施するための形態について、添付の図面にしたがって説明する。
【００１０】
実施の形態１．
図１はこの発明の実施の形態１によるノイズ検出装置を示す構成図である。
図１において、ノイズ検出センサ１は例えばＥＳＤなどの不定期に発生する外来ノイズ２を検出するセンサであり、外来ノイズ２を検出すると、外来ノイズ２の検出信号を出力する。
ノイズ検出センサ１として、例えば、電界プローブ、磁界プローブや電磁界プローブなどを用いることができる。
電圧入力端子３は直流入力電圧Ｖｉｎが印加される入力端子である。
【００１１】
回路基板４はＤＣ−ＤＣコンバータ回路５とノイズ検出回路６を備えている。
ＤＣ−ＤＣコンバータ回路５は電圧入力端子３に印加されている直流入力電圧Ｖｉｎを電源電圧Ｖｃｃに変換し、その電源電圧Ｖｃｃを電源端子７に出力する直流電圧変換回路である。
ノイズ検出回路６は駆動用の電源電圧として、電源端子７に印加されている電源電圧Ｖｃｃが供給されている状態で、ノイズ検出センサ１から出力された外来ノイズ２の検出信号を増幅し、増幅後の検出信号を出力する回路である。
【００１２】
半導体スイッチ１１は電圧入力端子３と電源端子７との間に接続されているスイッチング素子である。
半導体スイッチ１１として、例えば、ダイオードやトランジスタなどを用いることができる。
図１の例では、半導体スイッチ１１として、トランジスタを用いており、トランジスタのコレクタ端子が電圧入力端子３と接続され、トランジスタのエミッタ端子が平滑化回路１７と接続されている。
半導体スイッチ１１として、トランジスタを用いている場合、コレクタ端子とエミッタ端子間の導通状態が、非導通であるオフ状態（非導通の状態）から、導通しているオン状態（導通している状態）に切り換わることで生じる大きな電圧変化によって、数百ＭＨｚ程度の強いリンギングが発生する。また、コレクタ端子とエミッタ端子間の導通状態が、オン状態からオフ状態に切り換わることで生じる大きな電圧変化によって、数百ＭＨｚ程度の強いリンギングが発生する。
リンギングが発生することで、半導体スイッチ１１からスイッチングノイズ１２が生じる。
【００１３】
発振回路１３はパルス信号を周期的に繰り返し発振する回路である。
制御回路１４はコンパレータ１５と制御信号生成部１６を備えており、発振回路１３からパルス信号を受けたとき、電源端子７に印加されている電源電圧Ｖｃｃと閾値電圧Ｖｒｅｆの比較結果にしたがって半導体スイッチ１１における導通状態の切り換えを行う回路である。
【００１４】
コンパレータ１５は平滑化回路１７により平滑化された電源電圧Ｖｃｃ、即ち、電源端子７に印加されている電源電圧Ｖｃｃと閾値電圧Ｖｒｅｆを比較し、電源電圧Ｖｃｃと閾値電圧Ｖｒｅｆの比較結果を出力する。
制御信号生成部１６は発振回路１３からパルス信号を受けたとき、コンパレータ１５から出力された比較結果が、電源電圧Ｖｃｃが閾値電圧Ｖｒｅｆ未満である旨を示していれば、導通状態をオフ状態からオン状態に切り換えた後、オフ状態に戻す制御信号を生成する。
制御信号生成部１６は発振回路１３からパルス信号を受けたとき、コンパレータ１５から出力された比較結果が、電源電圧Ｖｃｃが閾値電圧Ｖｒｅｆ以上である旨を示していれば、オフ状態を維持する制御信号を生成する。
【００１５】
平滑化回路１７はダイオード１８、インダクタ１９及びコンデンサ２０を備えており、半導体スイッチ１１から出力された電源電圧Ｖｃｃを平滑化し、平滑化した電源電圧Ｖｃｃを電源端子７及び制御回路１４に出力する回路である。
ダイオード１８はアノード端子がグランドと接続され、カソード端子が半導体スイッチ１１の出力側と接続されており、半導体スイッチ１１の導通状態がオフ状態であるときオン状態になり、半導体スイッチ１１の導通状態がオン状態であるときオフ状態になる。
インダクタ１９は一端が半導体スイッチ１１の出力側と接続され、他端が電源端子７と接続されている。
コンデンサ２０は一端が電源端子７と接続され、他端がグランドと接続されており、半導体スイッチ１１の導通状態がオン状態であるとき電荷を充電し、半導体スイッチ１１の導通状態がオフ状態であるとき電荷を放電する。
【００１６】
信号線路３１，３２はノイズ検出センサ１から出力された外来ノイズ２の検出信号を伝送する線路であり、信号線路３２はグランドと接続されている。
高速増幅部３３はパルス幅が狭い短時間のパルス信号、即ち、外来ノイズ２に応答可能な高速オペアンプ３４を備えており、ノイズ検出センサ１から出力された外来ノイズ２の検出信号を増幅し、増幅した検出信号を開閉スイッチ３５に出力する。
高速オペアンプ３４はｎｓオーダの速度で動作するオペアンプであり、駆動用の電源電圧として、電源端子７に印加されている電源電圧Ｖｃｃが供給されている状態で、ノイズ検出センサ１から出力された外来ノイズ２の検出信号を増幅し、増幅した検出信号を開閉スイッチ３５に出力する。
高速オペアンプ３４は半導体スイッチ１１から発生したスイッチングノイズ１２が入力された場合、スイッチングノイズ１２についても増幅し、増幅したスイッチングノイズ１２の信号を開閉スイッチ３５に出力する。
【００１７】
開閉スイッチ３５は信号線路３１上に挿入されており、一端が高速増幅部３３と接続され、他端が信号検波回路３６と接続されている。
開閉スイッチ３５は制御回路１４によって半導体スイッチ１１における導通状態の切り換えが行われている期間中、オフ状態（開状態）になり、半導体スイッチ１１における導通状態の切り換えが行われていない期間中、オン状態（閉状態）になる。
即ち、開閉スイッチ３５は制御回路１４の制御信号生成部１６により生成された制御信号が、導通状態をオフ状態からオン状態に切り換えた後、オフ状態に戻す制御信号であれば、オフ状態になり、制御信号生成部１６により生成された制御信号が、オフ状態を維持する制御信号であれば、オン状態になる。
【００１８】
信号検波回路３６はダイオード３７、コンデンサ３８及び抵抗３９を備えており、開閉スイッチ３５を通過してきた外来ノイズ２の検出信号を長時間の信号に引き伸ばす回路である。
即ち、信号検波回路３６は検出信号のパルス幅を広げて、その検出信号を長時間のパルス信号に変換し、長時間のパルス信号を検波出力信号２ａとして、増幅部４０に出力する。
ダイオード３７はアノード端子が開閉スイッチ３５の他端と接続され、カソード端子が増幅部４０と接続されており、開閉スイッチ３５を通過してきた外来ノイズ２の検出信号を通過させる。
コンデンサ３８は一端がダイオード３７のカソード端子と接続され、他端がグランドと接続されている。
抵抗３９は一端がダイオード３７のカソード端子と接続され、他端がグランドと接続されている。
【００１９】
増幅部４０はオペアンプ４１を備えており、信号検波回路３６から出力された検波出力信号２ａを増幅し、増幅した検波出力信号２ａを検出通知部４２に出力する。
オペアンプ４１は高速オペアンプ３４よりも低速なオペアンプであり、例えば、ｍｓオーダの速度で動作するオペアンプが考えられる。
オペアンプ４１は駆動用の電源電圧として、電源端子７に印加されている電源電圧Ｖｃｃが供給されている状態で、信号検波回路３６から出力された検波出力信号２ａを増幅し、増幅した検波出力信号２ａを検出通知部４２に出力する。
検出通知部４２は増幅部４０から検波出力信号２ａを受けると、例えば、ＬＥＤ（Ｌｉｇｈｔ  Ｅｍｉｔｔｉｎｇ  Ｄｉｏｄｅ）ランプ等を点灯する。
【００２０】
次に動作について説明する。
図２は制御信号生成部１６により生成された制御信号、開閉スイッチ３５の入力側の信号波形及び信号検波回路３６の出力側の信号波形を示す説明図である。
発振回路１３は、パルス信号を周期的に繰り返し発振し、発振したパルス信号を制御回路１４に出力する。
この実施の形態１では、発振回路１３がパルス信号Ｐを周期的に発振するものを想定しているが、パルス信号を繰り返し出力することができればよく、パルス信号の発振間隔は一定であるものに限るものではない。
【００２１】
制御回路１４は、電源端子７に印加されている電源電圧Ｖｃｃと閾値電圧Ｖｒｅｆを比較し、発振回路１３からパルス信号を受けたとき、その電源電圧Ｖｃｃと閾値電圧Ｖｒｅｆの比較結果にしたがって半導体スイッチ１１における導通状態の切り換えを行う。
電源端子７に印加されている電源電圧Ｖｃｃは、平滑化回路１７によって、半導体スイッチ１１の出力電圧が平滑化された電源電圧である。
即ち、半導体スイッチ１１がオフ状態である場合、半導体スイッチ１１の出力電圧は概ね０Ｖ、半導体スイッチ１１がオン状態である場合、半導体スイッチ１１の出力電圧は概ね電圧入力端子３に印加されている直流入力電圧Ｖｉｎとなるが、平滑化回路１７によって、半導体スイッチ１１の出力電圧が平滑化されることで、半導体スイッチ１１の出力電圧は、時間的に平均化された電圧となる。
【００２２】
以下、制御回路１４の動作を具体的に説明する。
制御回路１４のコンパレータ１５は、電源端子７に印加されている電源電圧Ｖｃｃと閾値電圧Ｖｒｅｆを比較し、電源電圧Ｖｃｃと閾値電圧Ｖｒｅｆの比較結果を制御信号生成部１６に出力する。
制御信号生成部１６は、発振回路１３からパルス信号を受けたとき、コンパレータ１５から出力された比較結果が、電源電圧Ｖｃｃが閾値電圧Ｖｒｅｆ未満である旨を示していれば、電源電圧Ｖｃｃを高めるため、導通状態をオフ状態からオン状態に切り換えた後、オフ状態に戻す制御信号を生成する。
制御信号生成部１６は、オフ状態に戻す制御信号を半導体スイッチ１１及び開閉スイッチ３５に出力する。この制御信号は、図２に示すようなパルス信号である。
【００２３】
半導体スイッチ１１は、制御信号生成部１６から制御信号として、図２に示すようなパルスを受けると、導通状態がオフ状態からオン状態に切り換わり、その後、導通状態がオフ状態に戻る。
即ち、半導体スイッチ１１は、パルス信号の立ち上がりエッジに同期して、導通状態がオフ状態からオン状態に切り換わり、パルス信号の立ち下がりエッジに同期して、導通状態がオン状態からオフ状態に切り換わる。
半導体スイッチ１１における導通状態の切り換わりによって、大きな電圧変化が生じるため、数百ＭＨｚ程度の強いリンギングが発生する。
リンギングが発生することで、図２に示すように、半導体スイッチ１１からスイッチングノイズ１２が発生する。スイッチングノイズ１２の信号幅は、ｎｓオーダである。
【００２４】
制御信号生成部１６は、発振回路１３からパルス信号を受けたとき、コンパレータ１５から出力された比較結果が、電源電圧Ｖｃｃが閾値電圧Ｖｒｅｆ以上である旨を示していれば、電源電圧Ｖｃｃを高める必要がないため、オフ状態を維持する制御信号を生成する。
半導体スイッチ１１は、制御信号生成部１６からオフ状態を維持する制御信号を受けると、オフ状態を維持する。
この場合、半導体スイッチ１１の導通状態が切り換えられないため、半導体スイッチ１１からスイッチングノイズ１２が発生しない。
制御回路１４が、発振回路１３からパルス信号を受ける毎に、電源端子７に印加されている電源電圧Ｖｃｃと閾値電圧Ｖｒｅｆの比較結果にしたがって半導体スイッチ１１の導通状態を切り換えることで、直流入力電圧Ｖｉｎから所望の電源電圧Ｖｃｃが得られるようになる。
【００２５】
ノイズ検出センサ１は、例えば、ＥＳＤなどの不定期に発生する外来ノイズ２を検出すると、外来ノイズ２の検出信号をノイズ検出回路６に出力する。
図２の例では、外来ノイズ２がスイッチングノイズ１２と異なるタイミングで発生している。
外来ノイズ２の検出信号は、信号線路３１によってノイズ検出回路６の高速増幅部３３に伝搬されるが、スイッチングノイズ１２も信号線路３１に重畳されてノイズ検出回路６の高速増幅部３３に伝搬されることがある。
【００２６】
高速増幅部３３の高速オペアンプ３４は、ノイズ検出センサ１から外来ノイズ２の検出信号を受けると、駆動用の電源電圧として、電源端子７に印加されている電源電圧Ｖｃｃが供給されている状態で、ノイズ検出センサ１から出力された外来ノイズ２の検出信号を増幅し、増幅した検出信号を開閉スイッチ３５に出力する。
高速オペアンプ３４は、スイッチングノイズ１２が重畳されている場合、スイッチングノイズ１２についても増幅し、増幅したスイッチングノイズ１２の信号を開閉スイッチ３５に出力する。
【００２７】
開閉スイッチ３５は、制御回路１４によって半導体スイッチ１１における導通状態の切り換えが行われている期間中、オフ状態になり、半導体スイッチ１１における導通状態の切り換えが行われていない期間中、オン状態になる。
即ち、開閉スイッチ３５は、制御回路１４の制御信号生成部１６により生成された制御信号が、導通状態をオフ状態からオン状態に切り換えた後、オフ状態に戻す制御信号であれば、オフ状態になる。
これにより、半導体スイッチ１１の導通状態が切り換えられることで発生するスイッチングノイズ１２は、開閉スイッチ３５で遮断されるため、信号検波回路３６には伝搬されない。
開閉スイッチ３５は、制御回路１４の制御信号生成部１６により生成された制御信号が、オフ状態を維持する制御信号であれば、オン状態になる。
これにより、半導体スイッチ１１の導通状態が切り換えられていない期間中に発生している外来ノイズ２は、開閉スイッチ３５を通過するため、信号検波回路３６に伝搬される。
【００２８】
信号検波回路３６は、ユーザが外来ノイズ２の発生していることを容易に確認できるようにするため、開閉スイッチ３５を通過してきた外来ノイズ２の検出信号を長時間の信号に引き伸ばす動作を行う。
即ち、信号検波回路３６は、外来ノイズ２の検出信号のパルス幅を広げて、その検出信号を長時間のパルス信号に変換し、長時間のパルス信号を検波出力信号２ａとして、増幅部４０に出力する。
増幅部４０のオペアンプ４１は、駆動用の電源電圧として、電源端子７に印加されている電源電圧Ｖｃｃが供給されている状態で、信号検波回路３６から出力された検波出力信号２ａを増幅し、増幅した検波出力信号２ａを検出通知部４２に出力する。
検出通知部４２は、ユーザが外来ノイズ２の発生していることを確認できるようにするため、増幅部４０から検波出力信号２ａを受けると、例えば、ＬＥＤランプ等を点灯する。
ここでは、増幅部４０が増幅した検波出力信号２ａを検出通知部４２に出力する例を示しているが、図示せぬノイズ除去装置等に増幅した検波出力信号２ａを出力するようにしてもよい。
【００２９】
この実施の形態１では、開閉スイッチ３５と信号検波回路３６を繋ぐ信号線路３１が極めて短いため、開閉スイッチ３５と信号検波回路３６の間からスイッチングノイズ１２が信号線路３１に入り込んでくることを想定していない。
信号検波回路３６と増幅部４０の間からスイッチングノイズ１２が信号線路３１に入り込んできた場合、このスイッチングノイズ１２は、信号検波回路３６によって長時間の信号に引き伸ばされておらず、信号幅がｎｓオーダのままである。
また、増幅部４０のオペアンプ４１は、高速オペアンプ３４よりも低速なオペアンプでって、例えば、ｍｓオーダの速度で動作するオペアンプであるため、信号幅がｎｓオーダであるスイッチングノイズ１２の信号が増幅されない。
このため、スイッチングノイズ１２の信号が検出通知部４２に出力されても、ＬＥＤランプ等の点灯時間がｎｓオーダであり、ＬＥＤランプ等の点灯時間が極めて短い。また、スイッチングノイズ１２の信号が増幅されていないため、ＬＥＤランプ等の点灯輝度が極めて低い。よって、ユーザがＬＥＤランプ等の点灯にほとんど気づくことがなく、外来ノイズ２として、スイッチングノイズ１２を誤検出する可能性は極めて低い。
【００３０】
また、増幅部４０と検出通知部４２の間からスイッチングノイズ１２が信号線路３１に入り込んできた場合、このスイッチングノイズ１２は、信号検波回路３６によって長時間の信号に引き伸ばされておらず、信号幅がｎｓオーダのままである。また、増幅部４０のオペアンプ４１によってスイッチングノイズ１２の信号が増幅されていない。
このため、スイッチングノイズ１２の信号が検出通知部４２に出力されても、ユーザがＬＥＤランプ等の点灯にほとんど気づくことがなく、外来ノイズ２として、スイッチングノイズ１２を誤検出する可能性は極めて低い。
【００３１】
以上で明らかなように、この実施の形態１によれば、ノイズ検出回路６が、外来ノイズ２の検出信号を伝送する信号線路３１上に接続されている開閉スイッチ３５を備えており、開閉スイッチ３５が、制御回路１４によって半導体スイッチ１１における導通状態の切り換えが行われている期間中、オフ状態になり、半導体スイッチ１１における導通状態の切り換えが行われていない期間中、オン状態になるように構成したので、不定期に発生する外来ノイズ２を検出することができる効果を奏する。
即ち、外来ノイズ２として、半導体スイッチ１１から発生するスイッチングノイズ１２を誤検出することなく、外来ノイズ２を検出することができる効果を奏する。
【００３２】
この実施の形態１では、開閉スイッチ３５が高速増幅部３３と信号検波回路３６の間に接続されている例を示しているが、開閉スイッチ３５は、信号線路３１上で、かつ、信号検波回路３６より入力側に接続されていればよい。
図３はこの発明の実施の形態１による他のノイズ検出装置を示す構成図である。
図３の例では、開閉スイッチ３５がノイズ検出センサ１と高速増幅部３３の間に接続されている。図３において、図１と同一符号は同一または相当部分を示すので説明を省略する。
【００３３】
なお、本願発明はその発明の範囲内において、実施の形態の任意の構成要素の変形、もしくは実施の形態の任意の構成要素の省略が可能である。
【産業上の利用可能性】
【００３４】
この発明は、外来ノイズを検出するノイズ検出装置に適している。
【符号の説明】
【００３５】
１  ノイズ検出センサ、２  外来ノイズ、２ａ  検波出力信号、３  電圧入力端子、４  回路基板、５  ＤＣ−ＤＣコンバータ回路、６  ノイズ検出回路、７  電源端子、１１  半導体スイッチ、１２  スイッチングノイズ、１３  発振回路、１４  制御回路、１５  コンパレータ、１６  制御信号生成部、１７  平滑化回路、１８  ダイオード、１９  インダクタ、２０  コンデンサ、３１，３２  信号線路、３３  高速増幅部、３４  高速オペアンプ、３５  開閉スイッチ、３６  信号検波回路、３７  ダイオード、３８  コンデンサ、３９  抵抗、４０  増幅部、４１  オペアンプ、４２  検出通知部。
【図１】
2018042513.tif 000003
【図２】
2018042513.tif 000004
【図３】
2018042513.tif 000005
【国際調査報告】
2018042513.tif 000006
2018042513.tif 000007